(57)【特許請求の範囲】
【請求項１】
冷媒圧縮機、冷媒が供給される室内熱交換器等から構成される冷凍サイクルと、温水制御弁、温水が供給される室内熱交換器等から構成される温水循環回路とを備え、冷媒が供給される室内熱交換器と温水が供給される室内熱交換器とのいずれかを用いて暖房運転をする空気調和機において、冷媒が供給される室内熱交換器を用いた暖房運転と温水が供給される室内熱交換器を用いた暖房運転とを切り替える際に、冷媒が供給される室内熱交換器を用いる暖房運転及び温水が供給される室内熱交換器を用いる暖房運転の併用運転を行う制御装置を有し、この制御装置は併用運転が開始されてから、冷媒が供給される室内熱交換器の温度と温水が供給される室内熱交換器の温度とが一致した後、所定時間経過するまで継続して併用運転を行うことを特徴とする空気調和機。
【請求項２】
温水が供給される室内熱交換器を用いて暖房運転を行っている場合、室温が設定温度より低い第５の温度に上昇したとき、前記空気調和機は運転を、冷媒が供給される室内熱交換器を用いた暖房運転に切り替え、冷媒が供給される室内熱交換器を用いた暖房運転を行っている場合、室温が第５の温度よりも低い第６の温度に低下したとき、前記空気調和機は運転を、温水が供給される室内熱交換器を用いた暖房運転に切り替えることを特徴とする請求項１記載の空気調和機。
【発明の詳細な説明】
【０００１】
【発明の属する技術分野】
本発明は冷媒熱交換器を有する冷凍サイクルと、温水熱交換器を有する温水循環回路とを備えた空気調和機の制御に関する。
【０００２】
【従来の技術】
一般に、冷媒圧縮機、室外熱交換器、電動膨張弁、冷媒が供給される室内熱交換器等から構成される冷凍サイクルと、加熱器、温水熱交換器、温水制御弁、温水が供給される室内熱交換器等から構成される温水循環回路とを備え、これらにより冷房、暖房を可能にした空気調和機は知られている。室内熱交換器には冷媒管と温水管とを配設し、この室内熱交換器を冷却または加熱し、この室内熱交換器と室内空気とを熱交換させて冷却または加熱された空気を室内に吹き出して室内を空調するものである。
【０００３】
この種のものにおいて、暖房運転を、温水が供給される室内熱交換器を用いた暖房と冷媒が供給される室内熱交換器を用いた暖房とに切り替えて運転を行う構成となることが考えられ、暖房立ち上がり時や外気温が低いとき等の高負荷時には温水が供給される室内熱交換器を用いた暖房を行い、室温が安定した時や外気温が暖かいとき等の低負荷時には冷媒が供給される室内熱交換器を用いた暖房を行うことが望ましい。
【０００４】
【発明が解決しようとする課題】
ところが、温水が供給される室内熱交換器を用いた暖房と冷媒が供給される室内熱交換器を用いた暖房とを単に切り替えたのでは、切り替わるときに冷媒が供給される熱交換器と温水が供給される熱交換器との間に温度差が生じ、吹出温度に影響を与えることがある。冷媒が供給される熱交換器と温水が供給される熱交換器との一方の室内熱交換器温度が急に下がり過ぎたり、逆に室内熱交換器温度が急激に上がり過ぎてこれら２種類の熱交換器の作動が頻繁に切り替わるハンチング現象を起こしたりするという問題がある。
【０００５】
本発明は上述のような従来の問題点を解消したものであり、暖房運転の低能力要求時には、温水が供給される室内熱交換器を用いた暖房を中止し、冷媒が供給される室内熱交換器を用いた暖房に切り替えることにより省エネ運転を行うとともに、温水が供給される室内熱交換器を用いた暖房と冷媒が供給される室内熱交換器を用いた暖房とを切り替える際に室温に影響を与えずに安定して切替ができる空気調和機を提供することを目的とする。
【０００６】
【課題を解決するための手段】
上記目的を達成するために、請求項１の発明は、冷媒圧縮機、冷媒が供給される室内熱交換器等から構成される冷凍サイクルと、温水制御弁、温水が供給される室内熱交換器等から構成される温水循環回路とを備え、冷媒が供給される室内熱交換器と温水が供給される室内熱交換器とのいずれかを用いて暖房運転をする空気調和機において、冷媒が供給される室内熱交換器を用いた暖房運転と温水が供給される室内熱交換器を用いた暖房運転とを切り替える際に、冷媒が供給される室内熱交換器を用いる暖房運転及び温水が供給される室内熱交換器を用いる暖房運転の併用運転を行う制御装置を有し、この制御装置は併用運転が開始されてから、冷媒が供給される室内熱交換器の温度と温水が供給される室内熱交換器の温度とが一致した後、所定時間経過するまで継続して併用運転を行うことを特徴とする。
【００１０】
請求項２の発明は、請求項１記載の空気調和機において、温水が供給される室内熱交換器を用いて暖房運転を行っている場合、室温が設定温度より低い第５の温度に上昇したとき、前記空気調和機は運転を、冷媒が供給される室内熱交換器を用いた暖房運転に切り替え、冷媒が供給される室内熱交換器を用いた暖房運転を行っている場合、室温が第５の温度よりも低い第６の温度に低下したとき、前記空気調和機は運転を、温水が供給される室内熱交換器を用いた暖房運転に切り替えることを特徴とする。
【００１１】
【発明の実施の形態】
〔第１実施形態〕
以下、本発明の第１実施形態を図面を参照して説明する。図１は本発明の第１実施形態を示す冷媒回路図である。
【００１２】
図１において、１は室内機を、２は室外機を示し、冷媒配管によりつながれている。３は熱源機を示し、室内機１と温水配管によりつながれている。これらは空気調和機４を構成している。
【００１３】
室内機１には、室内熱交換器５が収納されており、この室内熱交換器５は、冷媒（フロン）の流れる冷媒管１６を組み込んだ冷媒が供給される室内熱交換器（以下、単に冷媒室内熱交換器５ａという）と、温水の流れる温水管２６を組み込んだ温水が供給される室内熱交換器（以下、単に温水室内熱交換器５ｂという）とにより構成されており、冷媒室内熱交換器５ａは温水室内熱交換器５ｂよりも風上に配置されている。室内機１の温水入口部の温水管２６と温水室内熱交換器５ｂとの間には流量可変弁６（温水制御弁）が設けられ、弁開度を調節することにより温水室内熱交換器５ｂに流れ込む温水の流量を調節することができる。７は送風機であり、室内機の吸込口より空気を吸い込み、この吸い込んだ空気を室内熱交換器５で加熱または冷却した後、室内に吹き出している。吸込口には室温センサ８が備えられ室温を検出している。
【００１４】
室外機２には、冷媒圧縮機１２、（冷媒用）室外熱交換器１３、四方弁１４、アキュームレータ１５などが収納され、これらは冷媒管１６により、冷媒室内熱交換器５ａ、電動膨張弁１７などとつながれ冷凍サイクル（冷媒が実線矢印の方向に循環して冷房運転を行い、点線矢印の方向に循環して暖房運転を行う）を構成している。
【００１５】
１８は制御装置であり、冷媒圧縮機１２、流量可変弁６及び室温センサ８に接続され、室温センサ８により検出された室温と設定温度との差を比較する温度比較手段を備えている。この温度比較手段に基づいて、冷媒圧縮機１２の回転数及び流量可変弁６の弁開度を制御して冷房能力及び暖房能力を制御している。
【００１６】
冷媒室内熱交換器５ａの冷房能力及び暖房能力は、冷媒圧縮機１２の回転数を変更することにより変えられる。冷媒圧縮機１２の駆動源に誘導電動機を用い、冷媒圧縮機１２へ供給する交流電力の周波数をインバータ装置を用いて変えることにより、回転数を変えることができる。
【００１７】
なお、２１はマフラであり、このマフラ２１は冷凍サイクル内を循環する冷媒の冷媒音を減らすためのものである。
【００１８】
熱源機３には加熱器２２（たとえばガスバーナ）、温水熱交換器２３、ポンプ２４、プレッシャータンク２５などが収納され、これらは室内機１に収納された温水室内熱交換器５ｂ、流量可変弁６と共に、温水配管２６で環状につながれて、暖房用の温水循環回路を構成している。
【００１９】
これによれば、加熱器２２による加熱量及び流量可変弁６による温水循環量を変えることにより、温水室内熱交換器５ｂでの放熱量を制御することができる。
【００２０】
２７はリザーブタンクであり、温水循環回路中の余剰温水を蓄え、リザーブタンク２７からあふれた分はドレンとして排水される。
【００２１】
２８は加圧注水弁、２９は加圧注水装置であり、温水循環回路に温水（水）を注水するためのものである。
【００２２】
１６ａは冷媒用のユニット間配管であり、２６ａは温水用のユニット間配管であり、それぞれ室内機１と室外機２、室内機１と熱源機３とをつないでいる。なお、加熱器２２の加熱量（燃焼量）は温水室内熱交換器５ｂに流れる温水の温度が所定値（例えば８０℃、６０℃など使用者が選択して決められる一定の温度）になるように自動制御される。
【００２３】
以上の構成において、冷媒が冷媒管１６、１６ａ内を実線矢印方向に循環しているときは冷媒圧縮機１２から吐出された冷媒が四方弁１４、室外熱交換器１３を通り電動膨張弁１７により減圧されることにより、冷媒が冷媒室内熱交換器５ａで蒸発して回りの空気を冷やすので、被調和室内は冷房される。逆に冷媒が冷媒管１６、１６ａ内を点線矢印方向に循環しているときは冷媒圧縮機１２から吐出された冷媒が四方弁１４を通って冷媒室内熱交換器５ａで放熱して回りの空気を暖めるので、被調和室内は暖房される。また温水が温水管２６、２６ａ内を循環している時は、温水室内熱交換器５ｂで空気を加熱するので、被調和室内は暖房される。
【００２４】
暖房運転時には冷媒室内熱交換器５ａを用いた暖房と温水室内熱交換器５ｂを用いた暖房とを設定温度と室温との差に応じて切り替えて運転している。設定温度と室温との差が大きいときには温水室内熱交換器５ｂを用いた暖房、設定温度と室温との差が小さいときには冷媒室内熱交換器５ａを用いた暖房をし、能力要求に応じて切り替え、室温を制御している。
【００２５】
図２は室温と設定温度との差の変化に対する冷媒圧縮機の運転／停止と温水循環の流量可変弁の開閉とを示す図である。
【００２６】
図のＡ領域において、暖房運転が開始されると、室温と設定温度との差が大きいので、温水室内熱交換器５ｂを用いた暖房運転になる。流量可変弁６が全開して温水室内熱交換器５ｂ内に温水が供給され回りの空気が加熱され室内に吹き出される。室温が上昇し、例えば、室温が設定温度より１℃低い温度Ｐ１（第１の温度）以上に上昇した時点で、冷媒圧縮機１２の運転を開始させ、加熱された冷媒が冷媒室内熱交換器５ａに供給され、冷媒室内熱交換器５ａを用いた暖房と温水室内熱交換器５ｂを用いた暖房とが併用された運転がなされる。上記のように、この状態では室温と設定温度との差が少なく、空気温度もかなり高くなっているので、流量可変弁６の弁開度が最小の位置にある。
【００２７】
このような暖房状態が続けられて、室温と設定温度とが実質的に一致した温度Ｐ４（設定温度より低く第１の温度Ｐ１より高い第４の温度）以上に上昇したとき、流量可変弁６が閉鎖して温水室内熱交換器５ｂ内への温水の供給を停止し、冷媒室内熱交換器５ａのみの暖房に切り替わる。
【００２８】
このとき室内熱交換器５の温度はＰ１時点では、温水室内熱交換器５ｂの温度が冷媒室内熱交換器５ａの温度より高くなっているが、冷媒室内熱交換器５ａを用いた暖房が開始され温水室内熱交換器５ｂを用いた暖房との併用運転がなされると、冷媒室内熱交換器５ａの温度が上昇し、しだいに冷媒室内熱交換器５ａと温水室内熱交換器５ｂとの温度差がなくなり、Ｐ４時点では、ほぼ同じ温度に保たれ、その後は冷媒熱交換器５ａのみで室内の暖房が行われるようになる。
【００２９】
このようにして、温水室内熱交換器５ｂを用いた暖房から冷媒室内熱交換器５ａを用いた暖房に切り替わるときに、暫くの間冷媒室内熱交換器５ａを用いた暖房と温水室内熱交換器５ｂを用いた暖房とを併用運転する期間を設けることにより、冷媒室内熱交換器５ａと温水室内熱交換器５ｂとが実質的に同じ温度になった後に冷媒室内熱交換器５ａの運転と切り替えられるようにすると、温水室内熱交換器５ｂを用いた暖房と冷媒室内熱交換器５ａを用いた暖房とのハンチング現象を防ぐことができる。即ち、温水室内熱交換器５ｂを用いた暖房によって室温が上昇したときに冷媒室内熱交換器５ａを用いた暖房に直ちに切り替えたときは冷媒室内熱交換器５ａを用いた加熱が不十分なために室内熱交換器５の温度が一時的に下がることになる。このときに、室内熱交換器５の運転を切り替える制御装置１８が、冷媒室内熱交換器５ａの運転に切り替わった直後に再び温水室内熱交換器５ｂの併用運転に戻り、室内熱交換器５の低下を暖房能力の不足と誤認して、室内熱交換器５の温度上昇によって、その後に再び冷媒室内熱交換器５ａの運転に切り替わり、また、併用運転に戻るというような冷媒室内熱交換器５ａまたは温水室内熱交換器５ｂのハンチング現象は、上述のような併用運転期間を設けることによって無くなり、室内熱交換器５の温度が安定した後に温水室内熱交換器５ｂを用いた暖房を停止するので、室内への吹出温度の変動を抑えることができる。また、冷媒室内熱交換器５ａを用いた暖房は、温水室内熱交換器５ｂを用いた暖房に比べて小さい暖房能力の制御に優れており、暖房負荷の小さい低能力要求時には、室内熱交換器５の運転と停止を繰り返すような運転を避け、より安定した室温に保つことができる。
【００３０】
このようにして冷媒室内熱交換器５ａ単独の暖房が続けられる。状況が変わって室内への外気導入等の影響によって、暖房負荷に暖房能力が満たなくなると、室温が次第に下がってきて冷媒室内熱交換器５ａを用いた暖房では十分な暖房ができなくなる。（Ｂ領域）
図のＢ領域において、室温が設定温度より、例えば、２℃以上下がった温度Ｐ３（第３の温度）のときには、流量可変弁６を開き、温水室内熱交換器５ｂを用いた暖房運転が開始される。冷媒室内熱交換器５ａを用いた暖房運転も行われており、冷媒室内熱交換器５ａと温水室内熱交換器５ｂを用いた併用運転が行われる。
【００３１】
この運転は単なる併用運転では暖房運転能力が不足するという予測をして温水温度に切り替えるための運転であり、流量可変弁６は閉鎖に近い状態で暖房をしているため、冷媒室内熱交換器５ａの温度は徐々に下がり室温は、Ｐ３より低い温度Ｐ２（第２の温度）に低下する。
【００３２】
室温が設定温度より３℃以上下がった時点Ｐ２（第２の温度）で、冷媒室内熱交換器５ａを用いた暖房運転が停止され、温水供給量を流量可変弁６で調整して暖房能力を制御する温水室内熱交換器５ａのみの暖房運転になる。
【００３３】
冷媒室内熱交換器５ａを用いた暖房から温水室内熱交換器５ｂを用いた暖房に切り替わるときも、上述の温水暖房から冷媒室内熱交換器５ａを用いた暖房に切り替わるときと同様に、温水室内熱交換器５ｂを用いた暖房と冷媒室内熱交換器５ａを用いた暖房とを併用運転する期間を設けている。併用運転期間を設けることにより、冷媒室内熱交換器５ａと温水室内熱交換器５ｂとが実質的に同じ温度になった後に温水室内熱交換器５ｂの運転に切り替えるので、その後に再び冷媒室内熱交換器５ａの運転に切り替わり、また、併用運転に戻るというような冷媒室内熱交換器５ａまたは温水室内熱交換器５ｂのハンチング現象が無くなり、室内熱交換器５の温度が安定するので、室内への吹出温度の変動を抑えることができる。
【００３４】
このように、冷媒室内熱交換器５ａを用いた暖房から温水室内熱交換器５ｂを用いた暖房に切り替わるとき及び温水室内熱交換器５ｂを用いた暖房から冷媒室内熱交換器５ａを用いた暖房に切り替えるときに、それぞれ併用運転する期間を設けることにより、安定した室温で切り替えが円滑に行われる。
【００３５】
また、室温と設定温度との差が大きいときには、温水室内熱交換器５ｂを用いた暖房で素早く室温を立ち上げ、室温と設定温度との差が小さくなって低能力要求時になると、小さい暖房能力の制御に優れた冷媒室内熱交換器５ａを用いた暖房を行い、安定した室温制御をすることができる。
【００３６】
さらに、温水室内熱交換器５ｂを用いた暖房をするときのガス料金に対し、冷媒室内熱交換器５ａを用いた暖房をするときの電気料金の方が安価であり、低能力要求時には、ランニングコストの安価な冷媒室内熱交換器５ａを用いた暖房を行い、経済的な暖房運転をすることができる。
【００３７】
さらにまた、家庭用エネルギを考える場合、暖房シーズンには電気の消費が少なく、ガスの消費が多いので、暖房をガスから電気に切り替えて暖房することでエネルギの平準化にも寄与することができる。
〔第２実施形態〕
以下、本発明の第２実施形態を図面を参照して説明する。図３は本発明の第２実施形態を示す冷媒回路図である。なお、図１と同一の構成要素には同一の符号を付して説明を省略し、異なる構成要素のみを説明する。
【００３８】
図３において、冷媒室内熱交換器５ａには冷媒温度センサ３３が取り付けられ、温水室内熱交換器５ｂには温水温度センサ３４が取り付けられており、それぞれ冷媒室内熱交換器５ａの温度、温水室内熱交換器５ｂの温度を検出している。
【００３９】
制御装置１８は冷媒圧縮機１２、流量可変弁６、室温センサ８、冷媒温度センサ３３及び温水温度センサ３４に接続されており、室温センサ８により検出された温度と設定温度の差を比較する温度比較手段（図示省略）を備えている。制御装置１８は、これら温度比較手段と、冷媒温度センサ３３及び温水温度センサ３４の検出温度に基づいて、冷媒圧縮機１２の回転数及び流量可変弁６の弁開度を制御して冷房能力及び暖房能力を制御している。
【００４０】
図４は暖房時の室内熱交換器の温度と設定温度との差の変化に対する冷媒圧縮機の運転／停止と流量可変弁の開閉とを示す図である。
【００４１】
図のＡ領域において、暖房運転が開始されると、室温と設定温度との差が大きいので、温水室内熱交換器５ｂを用いた暖房運転が行われる。流量可変弁６が全開して温水室内熱交換器５ｂ内に温水が供給され回りの空気が加熱され、加熱された空気が室内に吹き出される。室温が上昇し、室温が設定温度より１℃程度低い温度Ｐ５（第５の温度）に上昇した時点で、冷媒圧縮機１２を運転させ、冷媒室内熱交換器５ａを用いた暖房と温水室内熱交換器５ｂを用いた暖房とが併用運転される。このとき温水循環回路の流量可変弁６の弁開度が最小の位置にあり、冷媒室内熱交換器５ａの温度は、温水室内熱交換器５ｂの温度と同じ温度になる。温水室内熱交換器５ｂの温度と冷媒室内熱交換器５ａの温度とが一致（Ｑ１）した後、所定時間経過するまで（例えば１分）継続して併用運転を行う。その後、流量可変弁６を閉鎖して温水室内熱交換器５ｂ内への温水の供給を停止させる。これにより、冷媒室内熱交換器５ａを用いた暖房のみの運転に切り替わる。
【００４２】
このようにして、温水室内熱交換器５ｂを用いた暖房から冷媒室内熱交換器５ａを用いた暖房に切り替わるときに、暫くの間冷媒室内熱交換器５ａを用いた暖房と温水室内熱交換器５ｂを用いた暖房とを併用運転する期間を設けることにより、冷媒室内熱交換器５ａと温水室内熱交換器５ｂとが実質的に同じ温度になった後に冷媒室内熱交換器５ａの運転と切り替えるので、室内熱交換器５の運転を切り替える制御装置１８が冷媒室内熱交換器５ａの運転に切り替わった直後に再び温水室内熱交換器５ｂの併用運転を行い、その後に再び冷媒室内熱交換器５ａの運転に切り替わり、また、併用運転に戻るというような冷媒室内熱交換器５ａまたは温水室内熱交換器５ｂのハンチング現象が無くなり、室内熱交換器５の温度が安定するので、室内への吹出温度の変動を抑えることができる。
【００４３】
図のＢ領域において、冷媒室内熱交換器５ａを用いた暖房が行われている場合、室内への外気導入等の影響によって室温が下がったとき、例えば、室温が設定温度より２℃以上低い温度Ｐ６（第６の温度）に低下したときには、流量可変弁６を開いて温水室内熱交換器５ｂを用いた暖房運転が開始される。冷媒室内熱交換器５ａを用いた暖房運転も行われており、冷媒室内熱交換器５ａと温水室内熱交換器５ｂを用いた併用運転が行われる。一時的な暖房負荷の増大であれば、暫く後に室温が設定温度に近づき、再び冷媒室内熱交換器５ａを用いた単独運転に戻るが、流量可変弁６を絞った状態での併用運転では暖房運転能力が不足し、室内熱交換器５の温度は徐々に下がり続ける。
【００４４】
しかし、一定時間以上温水室内熱交換器５ｂに温水が循環されると温水室内熱交換器５ｂの温度が上昇して温水室内熱交換器５ｂの温度と冷媒室内熱交換器５ａの温度とが一致（Ｑ２）した後、所定時間経過するまで（例えば１分）継続して併用運転を行う。その後、冷媒圧縮機１２の運転が停止され、冷媒室内熱交換器５ａを用いた暖房運転が停止される。これにより、温水室内熱交換器５ｂを用いた暖房のみの運転に切り替わり、温水室内熱交換器５ｂの暖房能力は、流量可変弁６の弁開度で制御される。
【００４５】
この場合も第１実施形態と同様に冷媒室内熱交換器５ａを用いた暖房から温水室内熱交換器５ｂを用いた暖房に切り替わるときに、温水室内熱交換器５ｂを用いた暖房と冷媒室内熱交換器５ａを用いた暖房とを併用運転する期間を設けることにより、冷媒室内熱交換器５ａと温水室内熱交換器５ｂとが実質的に同じ温度になった後に温水室内熱交換器５ｂの運転に切り替えるので、その後に再び冷媒室内熱交換器５ａの運転に切り替わり、また、併用運転に戻るというような冷媒室内熱交換器５ａまたは温水室内熱交換器５ｂのハンチング現象が無くなり、室内熱交換器５の温度が安定するので、室内への吹出温度の変動を抑えることができる。
【００４６】
このように、冷媒室内熱交換器５ａを用いた暖房から温水室内熱交換器５ｂを用いた暖房に切り替わるとき及び温水室内熱交換器５ｂを用いた暖房から冷媒室内熱交換器５ａを用いた暖房に切り替えるときに、それぞれ併用運転する期間を設けることにより、安定した室温で切り替えが円滑に行われる。
【００４７】
また、室温と設定温度との差が大きいときには、温水室内熱交換器５ｂを用いた暖房で素早く室温を立ち上げ、室温と設定温度との差が小さくなって低能力要求時になると、小さい暖房能力の制御に優れた冷媒室内熱交換器５ａを用いた暖房を行い、安定した室温制御をすることができる。
【００４８】
さらに、温水室内熱交換器５ｂを用いた暖房をするときのガス料金に対し、冷媒室内熱交換器５ａを用いた暖房をするときの電気料金の方が安価であり、低能力要求時には、ランニングコストの安価な冷媒室内熱交換器５ａを用いた暖房を行い、経済的な暖房運転をすることができる。
〔第３実施形態〕
図５は第３実施形態の空気調和機を示す冷媒回路図である。なお、図１と同一の構成要素には同一の符号を付してその説明を省略する。
【００４９】
室外機２及び熱源機３はマルチタイプのものであり、室外機２及び熱源機３には２台の室内機１Ａ、１Ｂがそれぞれ冷媒用のユニット間配管１６ａ、温水用のユニット間配管２６ａによりつながれて、マルチタイプの空気調和機を構成している。
【００５０】
マルチタイプの空気調和機では、例えば、一方の室内機１Ａをリビング等の空調用に、他方の室内機１Ｂを廊下、トイレ、浴室またはユーティリティ等の空調に使用する場合などがあり、このような室内機１Ａ、１Ｂにおいても図１や図３と同様な冷媒室内熱交換器５ａと温水室内熱交換器５ｂとが設けられ、第１実施形態や第２実施形態と同様な併用運転期間を設けた切替制御が行われる。
【００５１】
マルチタイプの空気調和機の一方の室内機、例えば、室内機１Ｂが低暖房能力で、長時間空気調和機４を運転するようなトイレ、浴室またはユーティリティ等に設置される場合には、殆どの時間をランニングコストの安価な冷媒室内熱交換器５ａを用いた暖房運転とすることができ、これによって経済的で室温が安定した空調をすることができる。
【００５２】
以上、それぞれの実施形態に基づいて本発明を説明したが、本発明はこれに限定されるものではない。本実施形態では家庭用の空気調和機で説明しているが、業務用の空気調和機においても使用できるものである。
【００５３】
【発明の効果】
以上説明したように、本発明によれば、室温と設定温度との差が大きいときには、温水が供給される室内熱交換器を用いた暖房を行い、室温と設定温度との差が小さく低能力要求時には、小さい暖房能力の制御に優れた冷媒が供給される室内熱交換器を用いた暖房に切り替えることにより省エネを考えた暖房運転ができる。しかも温水が供給される室内熱交換器を用いた暖房と冷媒が供給される室内熱交換器を用いた暖房とを切り替えるときには、温水が供給される室内熱交換器を用いた暖房と冷媒が供給される室内熱交換器を用いた暖房との併用運転期間を設けることにより、室内熱交換器温度を安定させ、室温変動の少ない制御をすることができる。また、室温が安定しているときや低能力要求時には、ランニングコストの安価な冷媒が供給される室内熱交換器を用いた暖房を行って経済的な暖房運転をすることができる。
【図面の簡単な説明】
【図１】本発明の第１実施形態を示す冷媒回路図である。
【図２】本発明の第１実施形態における室温と設定温度との差の変化に対する冷媒圧縮機の運転／停止と温水循環回路の流量可変弁の開閉とを示す図である。
【図３】本発明の第２実施形態を示す冷媒回路図である。
【図４】本発明の第２実施形態における室内熱交換器の温度と設定温度との差の変化に対する冷媒圧縮機の運転／停止と流量可変弁の開閉とを示す図である。
【図５】本発明の第３実施形態を示す冷媒回路図である。
【符号の説明】
１、１Ａ、１Ｂ  室内機
２  室外機
３  熱源機
４  空気調和機
５  室内熱交換器
５ａ  冷媒が供給される室内熱交換器
５ｂ  温水が供給される室内熱交換器
６  流量可変弁（温水制御弁）
８  室温センサ
１２  冷媒圧縮機
１３  室外熱交換器
１４  四方弁
１６  冷媒管
１６ａ  冷媒用のユニット間配管
１７  電動膨張弁
１８  制御装置
２２  加熱器
２３  温水熱交換器
２６  温水管
２６ａ  温水用のユニット間配管
３３  冷媒温度センサ（冷媒温度検出手段）
３４  温水温度センサ（温水温度検出手段）
Ｐ１  第１の温度（冷媒圧縮機運転開始時の温度）
Ｐ２  第２の温度（冷媒圧縮機運転停止時の温度）
Ｐ３  第３の温度（流量可変弁開放時の温度）
Ｐ４  第４の温度（流量可変弁閉鎖時の温度）
Ｐ５  第５の温度
Ｐ６  第６の温度
Ｑ１、Ｑ２  冷媒温度センサと温水温度センサの検出温度一致点
【図１】
0004497616.tif 000002
【図２】
0004497616.tif 000003
【図３】
0004497616.tif 000004
【図４】
0004497616.tif 000005
【図５】
0004497616.tif 000006